(57)【要約】      （修正有）【課題】保守、障害切り分けがしやすく、電気器具及び配線が損傷する不具合の発生を減らす、室内ＡＣ・ＤＣマルチバス給電システムを提供する。【解決手段】引き込み線と、ＡＣ幹線電流計と、マスターコントロールシステムと、支線スイッチと、ＡＣ支線コントローラと、試験モジュールと、手動スイッチと、ＡＣ電流計と、ＡＣインターフェイスと、スイッチング電源と、大型蓄電装置と、ＤＣスイッチと、ＤＣ変圧器と、ＤＣ電流計と、ＤＣ支線コントローラと、試験モジュールと、手動スイッチと、ＤＣインターフェイスと、小型蓄電装置と、非常用電源と、を備えていることを特徴とする。室内給電システムは、前記システムを基礎として、モバイルコントローラを増設している。【選択図】図２
2017103999.tif 000002
【特許請求の範囲】
【請求項１】
室内ＡＣ・ＤＣマルチパス給電システムであって、引き込み線と、ＡＣ幹線電流計と、マスターコントロールシステムと、支線スイッチと、ＡＣ支線コントローラと、試験モジュールと、手動スイッチと、ＡＣ電流計と、ＡＣインターフェイスと、スイッチング電源と、大型蓄電装置と、ＤＣスイッチと、ＤＣ変圧器と、ＤＣ電流計と、ＤＣ支線コントローラと、試験モジュールと、手動スイッチと、ＤＣインターフェイスと、小型蓄電装置と、非常用電源と、を備えており、
引き込み線と幹線電流計の入力端との間には、電力を伝送するための電気的な接続形態を有しており、
ＡＣスイッチの電力入力端と幹線電流計の出力端との間には、電力を伝送するための電気的な接続形態を有しており、
ＡＣスイッチの出力端とＡＣ電流計の入力端との間には、電力を伝送するための電気的な接続形態を有しており、
ＡＣ電流計の出力端とＡＣインターフェイスとの間には、電力を伝送するために手動スイッチを介して接続されている電気的な接続形態を有しており、手動スイッチは、ＡＣ電流計の出力端とＡＣインターフェイスとの間で電力を伝送するための電気的な接続形態の接離を制御することができ、
ＡＣインターフェイスの出力端はＡＣ用電気器具の接続に用いることができ、
幹線電流計とマスターコントロールシステムとの間には、幹線電流の大きさのデータを含む信号を伝送するための電気的な接続形態を有しており、マスターコントロールシステムは幹線電流計を通じて引き込み線の電流の大きさのデータを取得することができ、
ＡＣ支線コントローラとマスターコントロールシステムとの間には、データ及び制御信号を伝送するための電気的な接続形態を有しており、ＡＣ支線コントローラはマスターコントロールシステムにデータを伝送することができ、マスターコントロールシステムはＡＣ支線コントローラの動作を制御することができ、
ＡＣ支線コントローラとＡＣスイッチとの間には、制御信号を伝送するための電気的な接続形態を有しており、ＡＣ支線コントローラはＡＣスイッチの電力経路の接離を制御することができ、
ＡＣ電流計とＡＣ支線コントローラとの間には、ＡＣ支線電流データを伝送するための電気的な接続形態を有しており、ＡＣ支線コントローラはＡＣ電流計との間の電気的な接続形態を介して、ＡＣ電流計で採集したＡＣ支線の電流の大きさを表すデータを取得することができ、
試験モジュールとＡＣインターフェイスとの間には、手動スイッチを介して試験ＡＣ用電気器具状態の試験信号を伝送するための電気的な接続形態を有しており、手動スイッチは試験モジュールとＡＣインターフェイスとの間の電気的な接続形態の接離を制御することができ、
試験モジュールとＡＣ支線コントローラとの間には、試験結果及び制御信号を伝送するための電気的な接続形態を有しており、ＡＣ支線コントローラは試験モジュールを介して試験結果を表すデータを取得することができ、ＡＣ支線コントローラは試験モジュールの試験動作を制御することができ、
手動スイッチとＡＣ支線コントローラとの間には、手動スイッチの接離状態信号を伝送するための電気的な接続形態を有しており、ＡＣ支線コントローラは手動スイッチの接離状態を表す信号を取得することができ、
手動スイッチは独立した２本のスイッチ支線を備えており、手動スイッチにおける１本のスイッチ支線はＡＣ電流計が出力したＡＣインターフェイスとの間の電気的な接続形態の接離を制御するためのものであり、手動スイッチの他の１本は試験モジュールとＡＣインターフェイスとの間の電気的な接続形態の接離を制御するためのものであり、
幹線電流計の出力端とスイッチング電源の入力端との間には、ＡＣ電力を伝送するための電気的な接続形態を有しており、
大型蓄電装置とスイッチング電源の出力端との間には、ＤＣ電力を伝送するための電気的な接続形態を有しており、スイッチング電源の出力端が出力したＤＣ電力は大型蓄電装置内に蓄電できるようになっており、
ＤＣスイッチの入力端と大型蓄電装置との間には、ＤＣ電力を伝送するための電気的な接続形態を有しており、大型蓄電装置はＤＣスイッチの入力端に電力を供給することができ、
ＤＣスイッチの入力端とスイッチング電源の出力端との間には、ＤＣ電力を伝送するための電気的な接続形態を有しており、スイッチング電源はＤＣスイッチの入力端に電力を供給することができ、
ＤＣスイッチの出力端とＤＣ変圧器の入力端との間には、ＤＣ電力を伝送するための電気的な接続形態を有しており、
ＤＣ電流計の入力端とＤＣ変圧器の出力端との間には、ＤＣ電力を伝送するための電気的な接続形態を有しており、
ＤＣ電流計の出力端とＤＣインターフェイスとの間には、ＤＣ電力を伝送するために手動スイッチを介した電気的な接続形態を有しており、手動スイッチはＤＣ電流計とＤＣインターフェイスとの間の電気的な接続形態の接離を制御することができ、
ＤＣインターフェイスはＤＣ用電気器具の電気的な接続に用いることができ、
ＤＣインターフェイスの出力端と小型蓄電装置との間には、ＤＣ電力を伝送するための電気的な接続形態を有しており、ＤＣインターフェイスが出力したＤＣ電力は小型蓄電装置内に蓄電できるようになっており、
非常用電源の入力端とＤＣインターフェイスとの間には、ＤＣ電力を伝送するための電気的な接続形態を有しており、
非常用電源の入力端と小型蓄電装置との間には、ＤＣ電力を伝送するための電気的な接続形態を有しており、非常用電源は小型蓄電装置から電力を取得することができ、
ＤＣ支線コントローラとマスターコントロールシステムとの間には、データ及び制御信号を伝送するための電気的な接続形態を有しており、ＤＣ支線コントローラはマスターコントロールシステムにデータを伝送することができ、マスターコントロールシステムはＤＣ支線コントローラの動作を制御することができ、
ＤＣ支線コントローラとＤＣスイッチとの間には、制御信号を伝送するための電気的な接続形態を有しており、ＤＣ支線コントローラはＤＣスイッチの電力経路の接離を制御することができ、
ＤＣ電流計とＤＣ支線コントローラとの間には、ＤＣ支線電流データを伝送するための電気的な接続形態を有しており、ＤＣ支線コントローラはＤＣ電流計との間の電気的な接続形態を介してＤＣ電流計で採集したＤＣ支線の電流の大きさを表すデータを取得することができ、
試験モジュールとＤＣインターフェイスとの間には、手動スイッチを介して試験ＤＣ用電気器具状態の試験信号を伝送するための電気的な接続形態を有しており、手動スイッチは試験モジュールとＤＣインターフェイスとの間の電気的な接続形態の接離を制御することができ、
試験モジュールとＤＣ支線コントローラとの間には、試験結果及び制御信号を伝送するための電気的な接続形態を有しており、ＤＣ支線コントローラは試験モジュールを介して試験結果を表すデータを取得することができ、ＤＣ支線コントローラは試験モジュールの試験動作を制御することができ、
手動スイッチとＤＣ支線コントローラとの間には、手動スイッチの接離状態信号を伝送するための電気的な接続形態を有しており、ＤＣ支線コントローラは手動スイッチの接離状態を表す信号を取得することができ、
手動スイッチは独立した２本のスイッチ支線を備えており、手動スイッチにおける１本のスイッチ支線はＤＣ電流計が出力したＤＣインターフェイスとの間の電気的な接続形態の接離を制御するためのものであり、手動スイッチの他の１本は試験モジュールとＤＣインターフェイスとの間の電気的な接続形態の接離を制御するためのものである、ことを特徴とする室内ＡＣ・ＤＣマルチパス給電システム。
【請求項２】
前記ＡＣスイッチはリレーである、ことを特徴とする請求項１に記載の室内ＡＣ・ＤＣマルチパス給電システム。
【請求項３】
前記リレーは半導体リレーである、ことを特徴とする請求項２に記載の室内ＡＣ・ＤＣマルチパス給電システム。
【請求項４】
前記マスターコントロールシステムはコンピュータを備えている、ことを特徴とする請求項１に記載の室内ＡＣ・ＤＣマルチパス給電システム。
【請求項５】
前記試験モジュールは支線末端にあるＡＣ／ＤＣ用電気器具の負荷属性を試験することができる（負荷性質は例えば誘導負荷、静電容量負荷、抵抗負荷であり、属性データは例えば抵抗値、静電容量値、インピーダンス値である）、ことを特徴とする請求項１に記載の室内ＡＣ・ＤＣマルチパス給電システム。
【請求項６】
前記試験モジュールは支線末端にあるＡＣ／ＤＣ用電気器具の負荷属性及び属性データの機能を試験する、ことを特徴とする請求項１に記載の室内ＡＣ・ＤＣマルチパス給電システム。
【請求項７】
前記技術内容１に記載する技術的思想の全ての特徴を備える以外に、モバイルコントローラを更に備えており、モバイルコントローラは無線通信を通じてマスターコントロールシステムとでデータ伝送を行うことができ、マスターコントロールシステムはモバイルコントローラの操作により制御される、ことを特徴とする請求項１に記載の室内ＡＣ・ＤＣマルチパス給電システム。
【請求項８】
前記モバイルコントローラは人の手により操作される、ことを特徴とする請求項７に記載の室内ＡＣ・ＤＣマルチパス給電システム。
【請求項９】
前記モバイルコントローラとＡＣ支線コントローラとの間でのデータ伝送にて暗号化通信を使用する、ことを特徴とする請求項７に記載の室内ＡＣ・ＤＣマルチパス給電システム。
【請求項１０】
システムマスターコントローラに対する前記モバイルコントローラの制御権限はシステムマスターコントローラ内に含まれる自動制御プログラムの権限よりも高い、ことを特徴とする請求項７に記載の室内ＡＣ・ＤＣマルチパス給電システム。
【発明の詳細な説明】
【技術分野】
【０００１】
本発明は電力の分野であり、とりわけ室内ＡＣ・ＤＣマルチパス給電システムに関する。
【背景技術】
【０００２】
従来の室内給電システムの多くは人工的に制御しており、回路又は電気器具が損傷した際に、使用者が問題点を探し出すことはできず、直ちに保守作業できない状況において、強制的に通電させる場合（例えばヒューズを銅線に交換する、保護スイッチを短絡させる、サーキットプロテクタを繰り返して強制的に閉じる）、改善の余地があるものであって、もし各々の受電端の状態をリアルタイムに反映することができるシステムがある場合には、不具合配線の切り分けに有利となり、問題の電気器具を探し出すのにも有利となり、ある電気器具の損傷によって配線の一部又は全体がダウンするという不具合の発生を減らすことができる。
【発明の概要】
【発明が解決しようとする課題】
【０００３】
背景技術中に記載する課題を解決するために、本発明では、安全で、障害切り分けがしやすい給電システムを提供する室内ＡＣ・ＤＣマルチパス給電システムを提供する。
【課題を解決するための手段】
【０００４】
本発明は以下の技術内容を備える。
【０００５】
１．室内ＡＣ・ＤＣマルチパス給電システムであって、引き込み線と、ＡＣ幹線電流計と、マスターコントロールシステムと、支線スイッチと、ＡＣ支線コントローラと、試験モジュールと、手動スイッチと、ＡＣ電流計と、ＡＣインターフェイスと、スイッチング電源と、大型蓄電装置と、ＤＣスイッチと、ＤＣ変圧器と、ＤＣ電流計と、ＤＣ支線コントローラと、試験モジュールと、手動スイッチと、ＤＣインターフェイスと、小型蓄電装置と、非常用電源と、を備えており、
【０００６】
引き込み線と幹線電流計の入力端との間には、電力を伝送するための電気的な接続形態を有しており、
【０００７】
ＡＣスイッチの電力入力端と幹線電流計の出力端との間には、電力を伝送するための電気的な接続形態を有しており、
【０００８】
ＡＣスイッチの出力端とＡＣ電流計の入力端との間には、電力を伝送するための電気的な接続形態を有しており、
【０００９】
ＡＣ電流計の出力端とＡＣインターフェイスとの間には、電力を伝送するために手動スイッチを介して接続されている電気的な接続形態を有しており、手動スイッチは、ＡＣ電流計の出力端とＡＣインターフェイスとの間で電力を伝送するための電気的な接続形態の接離を制御することができ、
【００１０】
ＡＣインターフェイスの出力端はＡＣ用電気器具の接続に用いることができ、
【００１１】
幹線電流計とマスターコントロールシステムとの間には、幹線電流の大きさデータを含む信号を伝送するための電気的な接続形態を有しており、マスターコントロールシステムは幹線電流計を通じて引き込み線の電流の大きさのデータを取得することができ、
【００１２】
ＡＣ支線コントローラとマスターコントロールシステムとの間には、データ及び制御信号を伝送するための電気的な接続形態を有しており、ＡＣ支線コントローラはマスターコントロールシステムにデータを伝送することができ、マスターコントロールシステムはＡＣ支線コントローラの動作を制御することができ、
【００１３】
ＡＣ支線コントローラとＡＣスイッチとの間には、制御信号を伝送するための電気的な接続形態を有しており、ＡＣ支線コントローラはＡＣスイッチの電力経路の接離を制御することができ、
【００１４】
ＡＣ電流計とＡＣ支線コントローラとの間には、ＡＣ支線電流データを伝送するための電気的な接続形態を有しており、ＡＣ支線コントローラはＡＣ電流計との間の電気的な接続形態を介して、ＡＣ電流計で採集したＡＣ支線の電流大きさを表すデータを取得することができ、
【００１５】
試験モジュールとＡＣインターフェイスとの間には、手動スイッチを介して試験ＡＣ用電気器具状態の試験信号を伝送するための電気的な接続形態を有しており、手動スイッチは試験モジュールとＡＣインターフェイスとの間の電気的な接続形態の接離を制御することができ、
【００１６】
試験モジュールとＡＣ支線コントローラとの間には、試験結果及び制御信号を伝送するための電気的な接続形態を有しており、ＡＣ支線コントローラは試験モジュールを介して試験結果を表すデータを取得することができ、ＡＣ支線コントローラは試験モジュールの試験動作を制御することができ、
【００１７】
手動スイッチとＡＣ支線コントローラとの間には、手動スイッチの接離状態信号を伝送するための電気的な接続形態を有しており、ＡＣ支線コントローラは手動スイッチの接離状態を表す信号を取得することができ、
【００１８】
手動スイッチは独立した２本のスイッチ支線を備えており、手動スイッチにおける１本のスイッチ支線はＡＣ電流計が出力したＡＣインターフェイスとの間の電気的な接続形態の接離を制御するためのものであり、手動スイッチの他の１本は試験モジュールとＡＣインターフェイスとの間の電気的な接続形態の接離を制御するためのものであり、
【００１９】
幹線電流計の出力端とスイッチング電源の入力端との間には、ＡＣ電力を伝送するための電気的な接続形態を有しており、
【００２０】
大型蓄電装置とスイッチング電源の出力端との間には、ＤＣ電力を伝送するための電気的な接続形態を有しており、スイッチング電源の出力端が出力したＤＣ電力は大型蓄電装置内に蓄電できるようになっており、
【００２１】
ＤＣスイッチの入力端と大型蓄電装置との間には、ＤＣ電力を伝送するための電気的な接続形態を有しており、大型蓄電装置はＤＣスイッチの入力端に電力を供給することができ、
【００２２】
ＤＣスイッチの入力端とスイッチング電源の出力端との間には、ＤＣ電力を伝送するための電気的な接続形態を有しており、スイッチング電源はＤＣスイッチの入力端に電力を供給することができ、
【００２３】
ＤＣスイッチの出力端とＤＣ変圧器の入力端との間には、ＤＣ電力を伝送するための電気的な接続形態を有しており、
【００２４】
ＤＣ電流計の入力端とＤＣ変圧器の出力端との間には、ＤＣ電力を伝送するための電気的な接続形態を有しており、
【００２５】
ＤＣ電流計の出力端とＤＣインターフェイスとの間には、ＤＣ電力を伝送するために手動スイッチを介した電気的な接続形態を有しており、手動スイッチはＤＣ電流計とＤＣインターフェイスとの間の電気的な接続形態の接離を制御することができ、
【００２６】
ＤＣインターフェイスはＤＣ用電気器具の電気的な接続に用いることができ、
【００２７】
ＤＣインターフェイスの出力端と小型蓄電装置との間には、ＤＣ電力を伝送するための電気的な接続形態を有しており、ＤＣインターフェイスが出力したＤＣ電力は小型蓄電装置内に蓄電できるようになっており、
【００２８】
非常用電源の入力端とＤＣインターフェイスとの間には、ＤＣ電力を伝送するための電気的な接続形態を有しており、
【００２９】
非常用電源の入力端と小型蓄電装置との間には、ＤＣ電力を伝送するための電気的な接続形態を有しており、非常用電源は小型蓄電装置から電力を取得することができ、
【００３０】
ＤＣ支線コントローラとマスターコントロールシステムとの間には、データ及び制御信号を伝送するための電気的な接続形態を有しており、ＤＣ支線コントローラはマスターコントロールシステムにデータを伝送することができ、マスターコントロールシステムはＤＣ支線コントローラの動作を制御することができ、
【００３１】
ＤＣ支線コントローラとＤＣスイッチとの間には、制御信号を伝送するための電気的な接続形態を有しており、ＤＣ支線コントローラはＤＣスイッチの電力経路の接離を制御することができ、
【００３２】
ＤＣ電流計とＤＣ支線コントローラとの間には、ＤＣ支線電流データを伝送するための電気的な接続形態を有しており、ＤＣ支線コントローラはＤＣ電流計との間の電気的な接続形態を介してＤＣ電流計で採集したＤＣ支線の電流大きさを表すデータを取得することができ、
【００３３】
試験モジュールとＤＣインターフェイスとの間には、手動スイッチを介して試験ＤＣ用電気器具状態の試験信号を伝送するための電気的な接続形態を有しており、手動スイッチは試験モジュールとＤＣインターフェイスとの間の電気的な接続形態の接離を制御することができ、
【００３４】
試験モジュールとＤＣ支線コントローラとの間には、試験結果及び制御信号を伝送するための電気的な接続形態を有しており、ＤＣ支線コントローラは試験モジュールを介して試験結果を表すデータを取得することができ、ＤＣ支線コントローラは試験モジュールの試験動作を制御することができ、
【００３５】
手動スイッチとＤＣ支線コントローラとの間には、手動スイッチの接離状態信号を伝送するための電気的な接続形態を有しており、ＤＣ支線コントローラは手動スイッチの接離状態を表す信号を取得することができ、
【００３６】
手動スイッチは独立した２本のスイッチ支線を備えており、手動スイッチにおける１本のスイッチ支線はＤＣ電流計が出力したＤＣインターフェイスとの間の電気的な接続形態の接離を制御するためのものであり、手動スイッチの他の１本は試験モジュールとＤＣインターフェイスとの間の電気的な接続形態の接離を制御するためのものである、ことを特徴とする。
【００３７】
２．技術内容１に記載の室内ＡＣ・ＤＣマルチパス給電システムにて、前記ＡＣスイッチはリレーであることを特徴とする。
【００３８】
３．技術内容２に記載の室内ＡＣ・ＤＣマルチパス給電システムにて、前記リレーは半導体リレーであることを特徴とする。
【００３９】
４．技術内容１に記載の室内ＡＣ・ＤＣマルチパス給電システムにて、前記マスターコントロールシステムはコンピュータを備えていることを特徴とする。
【００４０】
５．技術内容１に記載の室内ＡＣ・ＤＣマルチパス給電システムにて、前記試験モジュールは支線末端にあるＡＣ／ＤＣ用電気器具の負荷属性を試験することができることを特徴とする。（負荷性質は例えば誘導負荷、静電容量負荷、抵抗負荷であり、属性データは例えば抵抗値、静電容量値、インピーダンス値である）。
【００４１】
６．技術内容１に記載の室内ＡＣ・ＤＣマルチパス給電システムにて、前記試験モジュールは支線末端にあるＡＣ／ＤＣ用電気器具の負荷属性及び属性データの機能を試験することができることを特徴とする。
【００４２】
７．技術内容１に記載の室内ＡＣ・ＤＣマルチパス給電システムにて、前記技術内容１に記載する技術的思想の全ての特徴を備える以外に、モバイルコントローラを更に備えており、モバイルコントローラは無線通信を通じてマスターコントロールシステムとでデータ伝送を行うことができ、マスターコントロールシステムはモバイルコントローラの操作により制御されることを特徴とする。
【００４３】
８．技術内容７に記載の室内ＡＣ・ＤＣマルチパス給電システムにて、前記モバイルコントローラは人の手により操作されることを特徴とする。
【００４４】
９．技術内容７に記載の室内ＡＣ・ＤＣマルチパス給電システムにて、前記モバイルコントローラとＡＣ支線コントローラとの間でのデータ伝送にて暗号化通信を使用することを特徴とする。
【００４５】
１０．技術内容７に記載の室内ＡＣ・ＤＣマルチパス給電システムにて、システムマスターコントローラに対する前記モバイルコントローラの制御権限はシステムマスターコントローラ内に含まれる自動制御プログラムの権限よりも高いことを特徴とする。
【発明の効果】
【００４６】
技術内容の説明及びその有益な効果
【００４７】
技術内容の説明：本発明は保守しやすく、とりわけ本発明のシステムにおけるＡＣ／ＤＣ支線コントローラは保守での障害切り分け時に手動スイッチを遮断するとスイッチ情報を取得するものであって、このときＡＣ／ＤＣ支線コントローラはＡＣ／ＤＣスイッチを遮断することができ、保守作業員が保守での障害切り分けが完了したと判断して手動スイッチを接続するとき、ＡＣ／ＤＣ支線コントローラはまずＡＣ／ＤＣ用電気器具の状態を試験して更にＡＣスイッチが接続していないかの動作を行うことで、不具合電気器具に繰り返し通電されてしまい、電気器具及び回路配線が損傷する不具合を減らすのに有利となる。本発明のシステムは更にマルチメータとして保守作業員が手際よく保守するのを支援することができる（モバイルコントローラでマスターコントロールシステムを制御した後、再度マスターコントロールシステムを通じてＡＣ／ＤＣ支線コントローラがＡＣスイッチを遮断、試験モジュールを起動するよう制御する）。
【００４８】
本発明は保守、障害切り分けがしやすく、電気器具及び配線が損傷する不具合の発生を減らす。
【図面の簡単な説明】
【００４９】
【図１】実施例１の概略図である。
【図２】実施例２の概略図である。
【発明を実施するための形態】
【００５０】
以下にて実施例を合わせて本発明を説明する。
【実施例１】
【００５１】
実施例１にて、図１に示すように、室内ＡＣ・ＤＣマルチパス給電システムは、引き込み線と、ＡＣ幹線電流計と、マスターコントロールシステムと、支線スイッチと、ＡＣ支線コントローラと、試験モジュールと、手動スイッチと、ＡＣ電流計と、ＡＣインターフェイスと、スイッチング電源と、大型蓄電装置と、ＤＣスイッチと、ＤＣ変圧器と、ＤＣ電流計と、ＤＣ支線コントローラと、試験モジュールと、手動スイッチと、ＤＣインターフェイスと、小型蓄電装置と、非常用電源と、を備えている。
【００５２】
引き込み線と幹線電流計の入力端との間には、電力を伝送するための電気的な接続形態を有している。
【００５３】
ＡＣスイッチの電力入力端と幹線電流計の出力端との間には、電力を伝送するための電気的な接続形態を有している。
【００５４】
ＡＣスイッチの出力端とＡＣ電流計の入力端との間には、電力を伝送するための電気的な接続形態を有している。
【００５５】
ＡＣ電流計の出力端とＡＣインターフェイスとの間には、電力を伝送するために手動スイッチを介して接続されている電気的な接続形態を有しており、手動スイッチは、ＡＣ電流計の出力端とＡＣインターフェイスとの間で電力を伝送するための電気的な接続形態の接離を制御することができる。
【００５６】
ＡＣインターフェイスの出力端はＡＣ用電気器具の接続に用いることができる。
【００５７】
幹線電流計とマスターコントロールシステムとの間には、幹線電流の大きさのデータを含む信号を伝送するための電気的な接続形態を有しており、マスターコントロールシステムは幹線電流計を通じて引き込み線の電流の大きさのデータを取得することができる。
【００５８】
ＡＣ支線コントローラとマスターコントロールシステムとの間には、データ及び制御信号を伝送するための電気的な接続形態を有しており、ＡＣ支線コントローラはマスターコントロールシステムにデータを伝送することができ、マスターコントロールシステムはＡＣ支線コントローラの動作を制御することができる。
【００５９】
ＡＣ支線コントローラとＡＣスイッチとの間には、制御信号を伝送するための電気的な接続形態を有しており、ＡＣ支線コントローラはＡＣスイッチの電力経路の接離を制御することができる。
【００６０】
ＡＣ電流計とＡＣ支線コントローラとの間には、ＡＣ支線電流データを伝送するための電気的な接続形態を有しており、ＡＣ支線コントローラはＡＣ電流計との間の電気的な接続形態を介して、ＡＣ電流計で採集したＡＣ支線の電流の大きさを表すデータを取得することができる。
【００６１】
試験モジュールとＡＣインターフェイスとの間には、手動スイッチを介して試験ＡＣ用電気器具状態の試験信号を伝送するための電気的な接続形態を有しており、手動スイッチは試験モジュールとＡＣインターフェイスとの間の電気的な接続形態の接離を制御することができる。
【００６２】
試験モジュールとＡＣ支線コントローラとの間には、試験結果及び制御信号を伝送するための電気的な接続形態を有しており、ＡＣ支線コントローラは試験モジュールを介して試験結果を表すデータを取得することができ、ＡＣ支線コントローラは試験モジュールの試験動作を制御することができる。
【００６３】
手動スイッチとＡＣ支線コントローラとの間には、手動スイッチの接離状態信号を伝送するための電気的な接続形態を有しており、ＡＣ支線コントローラは手動スイッチの接離状態を表す信号を取得することができる。
【００６４】
手動スイッチは独立した２本のスイッチ支線を備えており、手動スイッチにおける１本のスイッチ支線はＡＣ電流計が出力したＡＣインターフェイスとの間の電気的な接続形態の接離を制御するためのものであり、手動スイッチの他の１本は試験モジュールとＡＣインターフェイスとの間の電気的な接続形態の接離を制御するためのものである。
【００６５】
幹線電流計の出力端とスイッチング電源の入力端との間には、ＡＣ電力を伝送するための電気的な接続形態を有している。
【００６６】
大型蓄電装置とスイッチング電源の出力端との間には、ＤＣ電力を伝送するための電気的な接続形態を有しており、スイッチング電源の出力端が出力したＤＣ電力は大型蓄電装置内に蓄電できるようになっている。
【００６７】
ＤＣスイッチの入力端と大型蓄電装置との間には、ＤＣ電力を伝送するための電気的な接続形態を有しており、大型蓄電装置はＤＣスイッチの入力端に電力を供給することができる。
【００６８】
ＤＣスイッチの入力端とスイッチング電源の出力端との間には、ＤＣ電力を伝送するための電気的な接続形態を有しており、スイッチング電源はＤＣスイッチの入力端に電力を供給することができる。
【００６９】
ＤＣスイッチの出力端とＤＣ変圧器の入力端との間には、ＤＣ電力を伝送するための電気的な接続形態を有している。
【００７０】
ＤＣ電流計の入力端とＤＣ変圧器の出力端との間には、ＤＣ電力を伝送するための電気的な接続形態を有している。
【００７１】
ＤＣ電流計の出力端とＤＣインターフェイスとの間には、ＤＣ電力を伝送するために手動スイッチを介した電気的な接続形態を有しており、手動スイッチはＤＣ電流計とＤＣインターフェイスとの間の電気的な接続形態の接離を制御することができる。
【００７２】
ＤＣインターフェイスはＤＣ用電気器具の電気的な接続に用いることができる。
【００７３】
ＤＣインターフェイスの出力端と小型蓄電装置との間には、ＤＣ電力を伝送するための電気的な接続形態を有しており、ＤＣインターフェイスが出力したＤＣ電力は小型蓄電装置内に蓄電できるようになっている。
【００７４】
非常用電源の入力端とＤＣインターフェイスとの間には、ＤＣ電力を伝送するための電気的な接続形態を有している。
【００７５】
非常用電源の入力端と小型蓄電装置との間には、ＤＣ電力を伝送するための電気的な接続形態を有しており、非常用電源は小型蓄電装置から電力を取得することができる。
【００７６】
ＤＣ支線コントローラとマスターコントロールシステムとの間には、データ及び制御信号を伝送するための電気的な接続形態を有しており、ＤＣ支線コントローラはマスターコントロールシステムにデータを伝送することができ、マスターコントロールシステムはＤＣ支線コントローラの動作を制御することができる。
【００７７】
ＤＣ支線コントローラとＤＣスイッチとの間には、制御信号を伝送するための電気的な接続形態を有しており、ＤＣ支線コントローラはＤＣスイッチの電力経路の接離を制御することができる。
【００７８】
ＤＣ電流計とＤＣ支線コントローラとの間には、ＤＣ支線電流データを伝送するための電気的な接続形態を有しており、ＤＣ支線コントローラはＤＣ電流計との間の電気的な接続形態を介してＤＣ電流計で採集したＤＣ支線の電流大きさを表すデータを取得することができる。
【００７９】
試験モジュールとＤＣインターフェイスとの間には、手動スイッチを介して試験ＤＣ用電気器具状態の試験信号を伝送するための電気的な接続形態を有しており、手動スイッチは試験モジュールとＤＣインターフェイスとの間の電気的な接続形態の接離を制御することができる。
【００８０】
試験モジュールとＤＣ支線コントローラとの間には、試験結果及び制御信号を伝送するための電気的な接続形態を有しており、ＤＣ支線コントローラは試験モジュールを介して試験結果を表すデータを取得することができ、ＤＣ支線コントローラは試験モジュールの試験動作を制御することができる。
【００８１】
手動スイッチとＤＣ支線コントローラとの間には、手動スイッチの接離状態信号を伝送するための電気的な接続形態を有しており、ＤＣ支線コントローラは手動スイッチの接離状態を表す信号を取得することができる。
【００８２】
手動スイッチは独立した２本のスイッチ支線を備えており、手動スイッチにおける１本のスイッチ支線はＤＣ電流計が出力したＤＣインターフェイスとの間の電気的な接続形態の接離を制御するためのものであり、手動スイッチの他の１本は試験モジュールとＤＣインターフェイスとの間の電気的な接続形態の接離を制御するためのものである。
【００８３】
ＡＣスイッチは半導体リレーである。
【００８４】
マスターコントロールシステムはコンピュータを備えている。
【００８５】
試験モジュールは支線末端にあるＡＣ／ＤＣ用電気器具の負荷属性及び属性データを試験することができる。
【００８６】
ＤＣインターフェイスは、使用者がＤＣの出力電圧を直感的に見ることができるように出力電圧を表示する電圧ディスプレイを備えている。
【実施例２】
【００８７】
実施例２にて、図２に示すように、実施例１に記載する技術的思想に基づいて改善した室内ＡＣ・ＤＣマルチパス給電システムであって、実施例１に記載する技術的思想の全ての特徴を備える以外に、モバイルコントローラを更に備えており、モバイルコントローラは無線通信を通じてマスターコントロールシステムとでデータ伝送を行うことができ、マスターコントロールシステムはモバイルコントローラの操作により制御され、モバイルコントローラは人の手により操作され、モバイルコントローラとＡＣ支線コントローラとの間でのデータ伝送にて暗号化通信を使用するものであり、システムマスターコントローラに対する前記モバイルコントローラの制御権限はシステムマスターコントローラ内に含まれる自動制御プログラムの権限よりも高いことを特徴とする。
【００８８】
以上は、本発明の典型的な設計であって、本発明の保護範囲に対する限定ではない。
【図１】
2017103999.tif 000003
【図２】
2017103999.tif 000004